(57)【要約】【課題】ハンドル部が容器本体から容易に脱落しないと共に、ハンドル部が精度良く容器本体に配置される飲料容器を提供すること。【解決手段】容器開口部１１１を有する容器本体１１０と飲み口部１２０，１３０とで保持されるハンドル部１５０は、ハンドル本体１５０と把持部１７０とを有し、ハンドル本体は取外しを規制するハンドル側取外し規制部１６１と位置決めするハンドル側位置決め部１６２とを有し、飲み口部はハンドル側取外し規制部と当接する飲み口部側取外し規制部１２１を有し、容器本体はハンドル側位置決め部と当接する容器側位置決め部１１３を有し、ハンドル側位置決め部と容器側位置決め部とが相互に当接した際の境界である当接境界部の少なくとも一部が容器本体の外面に露出して形成される露出境界部１８０となり、露出境界部に対応するハンドル側位置決め部と容器側位置決め部の少なくとも一部が曲面形状を成す飲料容器１００。【選択図】図３
2006062732.tif 000002
【特許請求の範囲】
【請求項１】
飲料を収容すると共に、上面に容器開口部を有する容器本体と、
前記容器開口部に対して配置される飲み口部と、
前記容器本体と前記飲み口部とで保持されるハンドル部と、を有する飲料容器であって、
前記ハンドル部は、
前記容器本体に配置するためのハンドル本体と、
使用者が把持するための把持部と、を有し、
前記ハンドル本体は、
前記飲み口部と当接し、前記ハンドル部の取外しを規制するためのハンドル側取外し規制部と、
前記容器本体に対する前記ハンドル部の配置位置を位置決めするハンドル側位置決め部と、を有し、
前記飲み口部は、前記ハンドル本体の前記ハンドル側取外し規制部と当接するための飲み口部側取外し規制部を有し、
前記容器本体は、前記ハンドル側位置決め部と当接するための容器側位置決め部を有し、
前記ハンドル側位置決め部と前記容器側位置決め部とが相互に当接した際の境界である
当接境界部の少なくとも一部が前記容器本体の外面に露出して形成される露出境界部となり、
前記露出境界部に対応する前記ハンドル側位置決め部と前記容器側位置決め部の少なくとも一部が曲面形状を成していることを特徴とする飲料容器。
【請求項２】
前記ハンドル側位置決め部は、前記ハンドル本体を前記容器本体に配置した際に凹状又は凸状となる本体凹部及び本体凸部を有し、
前記容器側位置決め部には、前記本体凹部及び前記本体凸部と嵌合する容器凸部及び容器凹部が形成され、
前記ハンドル側位置決め部及び前記容器側位置決め部の少なくとも一部において、相互に隣接している前記本体凹部及び前記本体凸部、並びに前記容器凸部及び前記容器凹部により、それぞれ連続した曲面形状が形成されていること特徴とする飲料容器。
【請求項３】
前記ハンドル本体の前記容器本体側であるハンドル本体内面に、凸状又は凹状のハンドル側係合部が形成され、
前記容器本体のハンドル本体側である容器外面に、前記ハンドル側係合部と係合可能な凹状又は凸状の容器側係合部が形成されていることを特徴とする請求項１又は請求項２に記載の飲料容器。
【請求項４】
前記ハンドル本体の前記ハンドル側位置決め部は、前記ハンドル本体を前記容器本体に配置した際に凹状又は凸状となる本体凹部及び本体凸部を有し、
前記容器本体の前記容器側位置決め部には、前記本体凹部及び前記本体凸部と嵌合する容器凸部及び容器凹部が形成され、
前記ハンドル側位置決め部及び前記容器側位置決め部の少なくとも一部において、相互に隣接している前記本体凹部及び前記本体凸部、並びに前記容器凸部及び前記容器凹部により、それぞれ連続した曲面形状が形成され、
前記ハンドル側係合部が、前記本体凹部の前記ハンドル本体内面に形成され、
前記容器側係合部が前記容器凸部の前記容器外面に形成されていることを特徴とする請求項３に記載の飲料容器。
【請求項５】
前記ハンドル部を前記容器本体に配置したときに、前記把持部の外面の上部に親指配置領域が形成されると共に、
前記把持部の下端部には把持領域が形成されていることを特徴とする請求項１乃至請求項４のいずれかに記載の飲料容器。
【発明の詳細な説明】
【技術分野】
【０００１】
本発明は、ミルク等の飲料を収容する飲料容器に関するものである。
【背景技術】
【０００２】
従来より、乳幼児等が使用する飲料容器は、飲料を収容する本体と、この本体内の飲料を乳幼児等が飲むための乳首や吸い口、ストロー、カップ等の飲み口とを有すると共に、乳幼児等が飲料容器を把持するためのハンドルも有している。
そして、このような飲料容器は、洗浄や発達に応じて取り替えて使用すること等を考慮して、各部品毎に分離可能な構成となっているため、使用者が飲料容器を使用するときは、各部品を組み立てて使用する構成となっている（例えば特許文献１及び特許文献２）。
たとえば、特許文献１の幼児用飲用器では、特許文献１の公報の図１に示すように、容器本体１の上方から容器本体１に配置されたハンドル６は、その内面の段部９が容器本体１の環状突部２により下方向への移動が規制される。そして、アダプタ１１を容器本体１に対して螺合すると、ハンドル６は、その上端部がアダプタ１１により上方向への移動が規制される。
このように、ハンドル６は、容器本体１とアダプタ１１に挟まれるように固定される構成となっている。
【０００３】
【特許文献１】実用新案登録第２５７６５２３号公報（図１等）
【特許文献２】特開２００１−２７８２８３号公報（図２等）
【発明の開示】
【発明が解決しようとする課題】
【０００４】
しかし、特許文献１の幼児用飲用器では、誤ってハンドル６を容器本体１に対して傾けて配置すると、アダプタ１１はハンドル６が傾いた状態のままで固定する。また、アダプタ１１はハンドル６を固定すると共に、飲み口である乳首１６を容器本体１に固定するように機能する。
このため、ハンドル６が容器本体１に対して傾いて配置されるとアダプタ１１が浮いて乳首１６を精度良く固定できず、容器本体１内の飲料が漏れ出すという問題があった。
【０００５】
一方、特許文献２の乳幼児用飲料容器１００は、特許文献２の公報の図２に示すように、ハンドル部１３０を、カップ１１０の底辺側から移動させカップ１１０に固定させる構成となっており、ハンドル部１３０は、アダプタ１２０で固定されていない。このため、ハンドル部１３０が傾いて配置されても、アダプタ１２０と飲み口との固定が不十分とならず、カップ１１０内の飲料が漏れ出すことを未然に防止することができる構成となっている。  
しかし、特許文献２の乳幼児用飲料容器１００では、ハンドル部１３０をアダプタ１２０で抑えていないため、ハンドル部１３０がカップ１１０から脱落し易いという問題があった。
【０００６】
そこで、ハンドル部が容器本体から容易に脱落しないと共に、ハンドル部が精度良く容器本体に配置される飲料容器を提供することを目的とする。
【課題を解決するための手段】
【０００７】
前記課題は、請求項１の構成によれば、ハンドル本体のハンドル側位置決め部と、容器本体の容器側位置決め部とを有する。このため、使用者は、これらハンドル側位置決め部と容器側位置決め部とを当接させるように、ハンドル部を容器本体に配置することで、ハンドル部を容器本体に対して、例えば傾けることなく、精度良く配置することができる。
また、ハンドル側位置決め部と容器側位置決め部とが相互に当接した際の境界である当接境界部の少なくとも一部が容器本体の外面に露出して形成される露出境界部となっている。このため、使用者は、露出境界部を視認しながら、ハンドル部を容器本体に配置させることができるので、より容易に間違いなくハンドル部を配置することが可能となっている。
【０００８】
また、ハンドル本体は、ハンドル側取外し規制部を有し、飲み口部は、ハンドル本体のハンドル側取外し規制部と当接するための飲み口部側取外し規制部を有している。
このため、ハンドル本体を容器本体に配置し、ハンドル本体のハンドル側取外し規制部に当接するように、飲み口部の飲み口部側取外し規制部を配置することで、ハンドル部の容器本体から外れてしまうことを確実に規制できる。
さらに、露出境界部に対応するハンドル側位置決め部と容器側位置決め部の少なくとも一部が曲面を成しているため、飲み口部側取外し規制部とハンドル側取外し規制部とを当接させて、飲み口部を装着することで、ハンドル部の回動方向の移動も確実に規制することができる。
したがって、ハンドル部が容器本体から容易に脱落しないと共に、ハンドル部が精度良く容器本体に配置される飲料容器となる。
【０００９】
好ましくは、請求項２の発明の構成によれば、使用者が、ハンドル部を容器本体に対して誤った位置に配置等した場合でも、ハンドル側位置決め部及び容器側位置決め部は、各凸部及び凹部が連続する曲面形状で結ばれているため、それぞれ曲面形状に沿って正しい位置である嵌合位置に案内される。したがって、使用者は、ハンドル部を精度良く配置し易い飲料容器となっている。
【００１０】
好ましくは、請求項３の発明の構成によれば、ハンドル側係合部と容器側係合部が係合することで、ハンドル側位置決め部及び容器側位置決め部における、各凹部及び凸部の当接と相まって容器本体に配置されたハンドル部の回転方向への移動等が確実に規制される。
【００１１】
好ましくは、請求項４の発明の構成によれば、容器側位置決め部の容器凸部側とハンドル側位置決め部の本体凹部の位置に、本体側係合部及びハンドル側係合部が形成されているため、使用者がハンドルを装着する際に異なった位置に装着を行おうとしても、連続した曲面形状で形成された各位置決め部によって案内されて、各係合部が係合する位置に導かれ、確実な状態に装着することができる。
【００１２】
好ましくは、請求項５の発明の構成によれば、使用者は把持領域に自己の掌を配置した際、上方の親指配置領域に親指を配置し、手掌で下端部の把持領域を把持することで、しっかりと飲料容器を把持すると共に、操作を容易に行うことができる。このように、乳幼児等の使用者に正しい把持方法を促すことができる。
【発明の効果】
【００１３】
本発明は、ハンドル部が容器本体から容易に脱落しないと共に、ハンドル部が精度良く容器本体に配置される飲料容器を提供するという利点がある。
【発明を実施するための最良の形態】
【００１４】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
（第１の実施の形態）
（飲料容器１００の全体構成等について）
図１は、本発明の第１の実施の形態に係る飲料容器１００の概略正面図であり、図２は、図１の飲料容器１００の概略断面図である。また、図３は、図１の飲料容器１００の概略分解斜視図である。
図１及び図３に示すように、飲料容器１００は、飲料である例えば調整ミルク等を収容する容器本体である例えば、ボトル１１０を有している。ボトル１１０は、例えばブロー成形によって略卵状に膨らんだ形状と成っている。
また、ボトル１１０には、図３に示すように、その上面に容器開口部である例えば、ボトル開口１１１を有している。
【００１６】
また、図３に示すように、飲料容器１００は、ボトル開口１１１に対してボトル開口１１１を塞ぐように配置される飲み口部である例えば、キャップ１２０と人工乳首１３０を有している。
すなわち、ボトル開口１１１の外周には図２及び図３に示すように雄ねじが１１２が形成されている。また、この雄ねじ１１２に対応してキャップ１２０内には、図２に示すように雌ねじ１２２が形成されている。このため、キャップ１２０は、ボトル開口１１１の外周に対して螺合され、固定される構成となっている。
また、人工乳首１３０はシリコーンゴム又はイソプトルレンゴム等から成っており、そのベース部１３１（図２参照）がキャップ１２０の天井部分内面に当接するように、キャップ１２０に係止されている。
このように、キャップ１２０をボトル１１０に対して固定することで、人工乳首１３０もキャップ１２０を介してボトル１１０に固定される構成となっている。人工乳首１３０は、図２に示すように、ボトル開口１１１に対して配置されるため、ボトル１１０内の調整ミルクが円滑に人工乳首１３０内に流入可能な構成となっている。
【００１７】
また、図１等に示すように、飲料容器１００には、使用者である例えば、乳幼児等が直接、口腔内に入れる人工乳首１３０を清潔に保つためのフード１４０が配置されている。
さらに、図２及び図３に示すように、飲料容器１００は、ボトル１１０とキャップ１２０とで挟み込むように保持されるハンドル部である例えば、ハンドル１５０も有している。
【００１８】
（ハンドル１５０、キャップ１２０及びボトル１１０との関係等について）
ハンドル１５０は、図１及び図３に示すように、ボトル１１０上に配置されるリング状のハンドル本体１６０と、このハンドル本体１６０から両側に突出するように配置される２つの把持部１７０，１７０を有している。
図３に示すように、ハンドル本体１６０のハンドル上面１６１は、キャップ１２０のキャップ下面１２１と当接し、キャップ１２０によりハンドル本体１６０の取外しを規制するように構成されている。すなわち、ハンドル上面１６１は、ハンドル側取外し規制部の一例となっており、キャップ下面１２１は、ハンドル本体１６０のハンドル上面１６１と当接するための飲み口側取外し規制部の一例となっている。
【００１９】
また、ハンドル本体１６０には、図３に示すように、ボトル１１０に対するハンドル１５０の配置位置を位置決めするハンドル側位置決め部である例えば、ハンドル位置決め面１６２を有しており、ハンドル位置決め面１６２には、本体凹部であるハンドル凹部１６２ａと、本体凸部であるハンドル凸部１６２ｂがそれぞれ対向位置に形成されている。
一方、ボトル１１０の上部には、図３に示すように、ハンドル位置決め面１６２と当接するための容器側位置決め面である例えば、ボトル位置決め面１１３が形成されており、容器凸部１１３ａと容器凹部１１３ｂが対向位置に形成されている。
このとき、容器凸部１１３ａが形成されたボトル正面側または背面側には、ボトル１１０への収容量を計量するための目盛り等が形成されていることが好ましい。
このように形成されるハンドル位置決め面１６２とボトル位置決め面１１３とが当接され位置決めされた状態が図１及び図２である。すなわち、図１及び図２に示すように、ハンドル位置決め面１６２とボトル位置決め面１１３とが相互に当接した際の境界には、境界部１８０が形成される。
このような境界部１８０は、本実施の形態では、ハンドル本体１６０の外周に沿ってボトル１１０の外面に露出して形成されることになる。すなわち、境界部１８０は当接境界部及び露出境界部の一例となっている。
【００２０】
以上のように、本実施の形態では、ハンドル本体１６０のハンドル位置決め面１６２とボトル位置決め面１１３とを当接させるように、すなわち容器凸部１１３ａにハンドル凹部１６２ａが配置され、容器凹部１１３ｂにハンドル凸部１６２ｂが配置されるように、ハンドル１５０をボトル１１０に配置するだけで、ハンドル１５０とボトル１１０とを精度良く位置決めすることができる。
したがって、従来のように使用者が誤ってハンドルをボトルに対して傾けて配置することを未然に防ぐことができる。
また、ハンドル位置決め面１６２とボトル位置決め面１１３との境界部１８０が外部に露出しているので、母親等の使用者は、境界部１８０を視認しながらハンドル１６０をボトル１１０に配置できる。このため、母親等はより間違いなく且つ、容易にハンドル１６０をボトル１１０に配置することが可能となる。
【００２１】
また、ハンドル位置決め面１６２とボトル位置決め面１１３とを当接させた状態で、キャップ１２０の雌ねじとボトル１１０の雄ねじ１２１とを螺合させると、ハンドル本体１６０のハンドル上面１６１と、キャップ１２０のキャップ下面１２１とが当接する。すると、ハンドル本体１６０は、キャップ１２０とボトル１１０とのよって挟まれ、ハンドル１５０の取外しは確実に規制され、しかも、ハンドル本体１６０の位置がずれていた場合でも、螺合によって適正な位置に配置されることになる。
しかも、図２および図３に示されるように、ハンドル本体１６０の上縁となるハンドル上面１６１には、内周に向かってほぼ全周に渡って突出された内周リブ１６１ａが形成されており、対応して、ボトル１１０には雄ねじ１１２とボトル位置決め面１１３の間に位置する肩部１１２ａが形成されている。このため、ハンドル本体１６０を配置すると、肩部１１２ａ上に内周リブ１６１ａが配置され（図２参照）、その上からキャップ１２０が押さえつけるように保持することで、さらに確実にハンドル１５０が配置・保持されることとなる。
【００２２】
ところで、図１及び図３に示すように、ハンドル位置決め面１６２とボトル位置決め面１１３は、曲面を形成している。具体的には、ハンドル位置決め面１６２は、図１の正面側が凹部である例えば、ハンドル凹部１６２ａとなり、側面側が凸部である例えば、ハンドル凸部１６２ｂとなり、これらで連続した曲面を形成している。
一方、ボトル位置決め面１１３は、図１の正面側が容器凸部１１３ａとなり、側面が容器凹部１１３ｂとなり、これらで連続した曲面を形成している。
すなわち、ハンドル位置決め面１６２とボトル位置決め面１１３とは、相互に嵌合する曲面を有すると共に、これらの曲面は、相互に隣接している凸状部分と凹状部分とで、連続した曲面形状を構成している。
【００２３】
そして、ハンドル位置決め面１６２とボトル位置決め面１１３のそれぞれの曲面の凹凸を当接するよう配置すると、ハンドル１７０のボトル１１０上における回転が確実に規制されることになり、ハンドル１５０が、ボトル１１０に対して精度良く配置されることになる。
また、ハンドル位置決め面１６２とボトル位置決め面１１３とは、それぞれ連続した曲面を有しているので、母親等が誤ってハンドル位置決め面１６２の凸状部分とボトル位置決め面１１３の凸状部分とを当接させた場合は、それぞれの凸状部分が、他方の曲面に沿って滑るように移動させられ、円滑に正しい位置に案内されることになる。
このため、母親等がハンドル１５０を誤って配置しても、正しい位置に修正し易い構成となっている。
【００２４】
ところで、図３に示すように、ハンドル本体１６０の内面に凸状のハンドル側係合部である例えば、ハンドル側係合凸部１６３が形成されている。また、ボトル１１０のボトル外面であるボトル開口１１１の外周部には、ハンドル側係合凸部１６３と係合するための凹状の容器側係合部である例えば、ボトル側係合凹部１１４が形成されている。
このため、ハンドル本体１６０をボトル１１０に対して配置するとき、ハンドル側係合凸部１６３をボトル側係合凹部１１４内に挿入し、相互に係合させることで、ハンドル本体１６０のボトル１１０に対する回動を、さらに確実に規制することができる。
【００２５】
また、図３に示すように、ハンドル側係合凸部１６３は、ハンドル位置決め面１６２のハンドル凹部１６２ａに対応する内面に配置され、本体側係合凹部１１４は、ボトル位置決め面１１３の容器凸部１１３ａの外面に配置され、各位置決め面は図３に示すように、それぞれ連続した曲面形状を有している。
このため、母親等がハンドル側係合凸部１６３の配置を誤ると、ハンドル位置決め面１６２は、それぞれボトル位置決め面１１３と正確に嵌合せず、ハンドル凸部１６２ａと容器凸部１１３ａとが当接した状態となる。
【００２６】
しかし、各位置決め面１１３，１６２が連続する曲線状に形成されているため、各位置決め面の曲面に案内され、しかも、ボトル１１０の雄ネジ１１２等と干渉することなく、ハンドル側係合凸部１６３とボトル側係合凹部１１４とを係合させることができる。
【００２７】
一方、ハンドル側係合凸部１６３がハンドル位置決め面１６２の凸状部分に対応するハンドル本体１６０の内面に形成されている場合で、母親等がハンドル側係合凸部１６３の配置を誤ると、ハンドル側係合凸部１６３が形成されているハンドル位置決め面１６２の凸状部分が、ボトル位置決め面１１３の凸状部分と当接する。
すると、ハンドル側係合凸部１６３は、ボトル１１０と雄ねじ１１２に当接等するため、母親等がハンドル本体１６０を回動させる際に、ハンドル側係合凸部１６３が干渉し、回動を阻害することになる。
このように、本実施の形態では、ハンドル側係合凸部１６３がハンドル凹部１６２ａに対応するハンドル本体１６０の内面に形成されているので、母親等が誤った位置にハンドル１５０を配置した場合でも、そのまま、ハンドル１５０を回動させることで、円滑にハンドル１５０を正しい位置に直すことができる構成となっている。
【００２８】
また、ハンドル側係合凸部１６３は、ハンドル本体１６０上で、２つの把持部１７０を結んだ第１の仮想線（図３のＡ−Ａ’線）と交差する第２の仮想線（図３のＢ−Ｂ’線）に存在するハンドル本体１６０の内面に形成されている。例えば、第２の仮想線は第１の仮想線と直交している。
このため、乳幼児等が２つの把持部１７０を両手で保持した際に、２つの把持部１７０をそれぞれボトル１１０から離間方向に引っ張るように保持すると、ハンドル本体１６０のハンドル側係合凸部１６３が形成されている内面が、ボトル１１０側に近接する方向に変形する。
したがって、ハンドル側係合凸部１７３とボトル側係合凹部１１４との係合がより強固となる構成となっている。すなわち、本実施の形態に係る飲料容器１００は、乳幼児等の使用の際にもハンドル１５０が精度良く位置決めされ、保持される構成となっている。
【００２９】
（ハンドル１５０等について）
図２及び図３に示すように、ハンドル１５０の把持部１７０の外面の上部に親指配置領域１７１が形成されている。また、把持部１７０の下端部には、把持領域１７２が形成されている。
このように、把持部１７０には、親指配置領域１７１と把持領域１７２が形成されているので、乳幼児等は、把持領域１７２を自己の掌で覆うように把持し、親指配置領域１７１に親指を配置して、把持部１７０を握ることで、しっかりと、かつ操作性に優れた持ち方で飲料容器１００を把持できる構成となっている。
このように、親指配置領域１７１と把持領域１７２を設けることで、乳幼児等に飲料容器１００の正しい把持方法を促すことができる。
【００３０】
また、親指配置領域１７１と把持領域１７２は、例えばエラストマー等の弾性材料で成っているため滑り止めとしての機能も発揮する。そして、親指配置領域１７１と把持領域１７２とは、把持部１７０内部及び外面で繋がっており、一体に成形されている。
また、本実施の形態では、親指配置領域１７１と把持領域１７２が把持部１７０と異なる材質で形成されているが、これに限らず、材質を変えず、色彩や梨地や凹凸等の表面形態等を変更してもよい。
【００３１】
（その他の構成について）
図２及び図３に示すように、ボトル１１０の底面には、摩擦係数が高い滑り止め部１１５が形成されている。このため、ボトル１１０が配置されたときボトル１１０が転倒等することを未然に防止することができる。
滑り止め部１１５は、金型内面に凹凸を設け、滑り止め部１１５の表面をざらざらさせるシボ加工やブラスト加工等で形成されるが、これに限らす、エラストマーによる一体成形としてもよい。
【００３２】
また、本発明に用いられる人工乳首は、本実施の形態の人工乳首１３０に限らず、特開２００３−２０５０１８号公報に示される乳幼児の哺乳運動に応じて伸長（伸展）するタイプの乳首でもよい。
また、本発明に用いられる人工乳首は、特開２０００−２８８号公報に記載されるような偏心タイプの人工乳首であってもよい。
【００３３】
（第２の実施の形態）
図４は、本発明の第２の実施の形態に係る飲料容器２００を示す概略斜視図である。
図４に示す飲料容器２００は、多くの構成が第１の実施の形態の飲料容器１００と共通するため、共通する構成は同一符号等とし説明を省略し、以下相違点を中心に説明する。
図４に示すように、本実施の形態の飲料容器２００は、第１の実施の形態の飲料容器１００と異なり、人工乳首ではなくストロー２３０が配置されている。
また、ストロー２３０を配置するためのストロー用キャップ２２０がハンドル１５０に対して配置されている。
また、ストロー用キャップ２２０は、ストロー２３０を保持するためのキャップ本体２２１と、ストロー２３０をストロー用キャップ２２０内に格納するためのキャップ蓋２２２を有している。
【００３４】
また、キャップ本体２２１には、図４に示すように、通気孔２２１ａが形成されている。このため、ボトル１１０の内外で圧力差が生じることを防ぐことができ、飲料の噴き出しや、吸引に伴う減圧等を未然に防ぐことができる。
一方、通気孔２２１ａは、開口であるため、母親等が飲料容器２００を持ち運ぶ際に飲料が通気孔２２１ａから漏れ出す虞がある。そこで、キャップ蓋２２２には、当接板２２２ａが形成され、キャップ蓋２２２が閉状態のときは、当接板２２２ａがストロー２３０を折り曲げるよう変形させることで、ストロー２３０からの漏れを防ぐと共に、ストロー２３０を通気孔２２１ａに押しつけ、通気孔２２１ａから飲料漏れが生じない構成となっている。
なお、本発明は、ストロー２３０に限らず、ストローに変えて所謂、吸い口（スパウト）を取り付けて使用してもよい。
【００３５】
（第３の実施の形態）
図５は、本発明の第３の実施の形態に係る飲料容器３００を示す概略斜視図である。第３の実施の形態に係る飲料容器３００は、多くの構成が第１の実施の形態の飲料容器１００と共通するため、共通する構成は同一符号等として説明を省略し、以下相違点を中心に説明する。
図５に示すように、本実施の形態に係る飲料容器３００は、ハンドル本体３６０のハンドル位置決め面３６２とボトル位置決め面３１３の曲面形状が第１の実施の形態の飲料容器１００と異なる。
すなわち、第１の実施の形態では、図３等に示すように、曲面を構成するハンドル凹部１６２ａ、ハンドル凸部１６２ｂ、容器凸部１１３ａ、容器凹部１１３ｂがハンドル位置決め面１６２及びボトル位置決め面１１３にそれそれ２カ所ずつ形成され、緩やかな曲面形状で結ばれる構成となっている。
これに対し、本実施の形態では、ハンドル位置決め面３６２とボトル位置決め面３１３に多数のハンドル凹部及び凸部と、容器凸部及び容器凹部が形成されている。
このため、ハンドル３５０の把持部３７０はボトル３１０に対して、異なった複数の箇所に配置が可能な構成となっている。
【００３６】
また、本実施の形態では、複数の凸状部分及び凹状部分をハンドル位置決め面３６２及びボトル位置決め面３１３に形成したが、これに限らす、例えば、１つの凸状部分（ハンドル凸部または容器凸部）のみをハンドル位置決め面３６２又はボトル位置決め面３１３に形成し、１つの凹状部分（ハンドル凹部または容器凹部）のみをボトル位置決め面３１３又はハンドル位置決め面３６２に形成して、相互に嵌合させても良い。
また、本実施の形態では、リング状の飲み口３２０がボトル３１０に配置され、人工乳首やストロー等は配置されておらず、所謂カップ（コップ）状の形態とされている。このため、使用者は、自己の口を飲み口３２０に添えてボトル３１０内の飲料を飲む構成となっている。
また、本発明では、本実施の形態の飲み口３２０に限らず、飲み口３２０に代えて再公表２０００−６３３１５号公報に記載の飲み口部材等を適用してもよい。
【００３７】
本発明は、上述の各実施の形態に限定されない。例えば、各実施の形態では両側に取っ手が配置された構成とされていたが、取っ手が一方向のみに設けられた所謂片手カップ構成とされていてもよい。上述の各実施の形態は、相互に組み合わせて構成するようにしてもよい。
【図面の簡単な説明】
【００３８】
【図１】本発明の第１の実施の形態に係る飲料容器の概略正面図である。
【図２】図１の飲料容器の概略断面図である。
【図３】図１の飲料容器の概略分解斜視図である。
【図４】本発明の第２の実施の形態に係る飲料容器を示す概略斜視図である。
【図５】本発明の第３の実施の形態に係る飲料容器を示す概略斜視図である。
【符号の説明】
【００３９】
１００・・・飲料容器、１１０・・・ボトル、１１２・・・雄ねじ、１１３・・・ボトル位置決め面、１１４・・・ボトル側係合凹部、１２０・・・キャップ、１２１・・・キャップ下面、１２２・・・雌ねじ、１３０・・・人工乳首、１３１・・・ベース部、１４０・・・フード、１５０・・・ハンドル、１６０・・・ハンドル本体、１６１・・・ハンドル上面、１６２・・・ハンドル位置決め面、１６３・・・ハンドル側係合凸部、１７０・・・把持部、１７１・・・親指配置領域、１７２・・・把持領域、１８０・・・境界部。
【図１】
2006062732.tif 000003
【図２】
2006062732.tif 000004
【図３】
2006062732.tif 000005
【図４】
2006062732.tif 000006
【図５】
2006062732.tif 000007